(57)【要約】【課題】眼球運動トレーニングによる動体視力の向上。【解決手段】不透明なシートで裏張りされた透明なシート上にランダムに配置された連続する一つ一つの数字の一方が赤色に少し離された他方が緑色の二つの同じ数字（１２ａ，１２ｂ）にされた数字指標付きシート（１４）と、眼前に配置される略眼鏡形状であって片方が赤色で他方が緑色の透明なレンズからなる色つきシートと、からなる事を特徴とする眼球運動トレーニングキット。【選択図】図１
2016174882.tif 000002
【特許請求の範囲】
【請求項１】
不透明なシートで裏張りされた透明なシート上にランダムに配置された連続する一つ一つの数字の一方が赤色に少し離された他方が緑色の二つの同じ数字にされた数字指標付きシートと、眼前に配置される略眼鏡形状であって片方が赤色で他方が緑色の透明なレンズからなる色つきシートと、からなる事を特徴とする眼球運動トレーニングキット。
【請求項２】
数字指標付きシートのほぼ中央に黒色の文字・記号又は模様が眼休めの為の基準指標として設けられた事を特徴とする請求項１記載の眼球運動トレーニングキット。
【請求項３】
赤色と緑色にされた同じ数字の間隔がそれぞれの数字で異なっている事を特徴とする請求項１記載の眼球運動トレーニングキット。
【請求項４】
緑色の数字と、緑色のレンズが青色である事を特徴とする請求項１記載の眼球運動トレーニングキット。
【発明の詳細な説明】
【技術分野】
【０００１】  本発明は、眼球用のトレーニングキットに関する。更に詳しくは、眼の動き、脳の働きを主とした動体視力のトレーニング、それに付随した動作のスピードアップに関する。
【背景技術】
【０００２】  従来、眼のトレーニング器としては特開２００４−１６０１１４号が提案されている。これは二つの回転盤を、移動物を取り付けたベルトで繋ぎ、回転させる事により前記移動物を水平方向に移動させ、それを眼で追い動体視力を鍛え向上させるものである。【０００３】
【特許文献１】特開２００４−１６０１１４号
【発明の開示】
【発明が解決しようとする課題】
【０００４】しかしながら、上記方法に於いては、仕掛けが大掛かりで、持ち運びが容易でなく、何時でも何処でも手軽に使用できるわけではない。そして、一方向（この場合水平方向）のみの眼の運動となり、上下方向、奥行き方向、斜め方向の運動訓練は困難であった。
【課題を解決するための手段】
【０００５】上記課題を解決する為に本発明に於いては、不透明なシートで裏張りされた透明なシート上にランダムに配置された連続する一つ一つの数字の一方が赤色に少し離された他方が緑色の二つの同じ数字にされた数字指標付きシートと、眼前に配置される略眼鏡形状であって片方が赤色で他方が緑色の透明なレンズからなる色つきシートと、からなる事を特徴とする眼球運動トレーニングキットの提供を図った。【０００６】更に、赤色と緑色にされた同じ数字の間隔がそれぞれの数字で異なっている様にされ、距離感を変えられるようにした。
【発明の効果】
【０００７】本発明により、水平方向のみならず、上下方向、奥行き方向、更に斜め方向迄の眼球の運動及びトレーニングが可能となり、しいては動体視力のトレーニングにも成り、脳の融像の働き活発化も期待出来、その結果動作（手等の）のスピードアップにも繋がる事となる。
【図面の簡単な説明】
【０００８】
【図１】数字指標付きシート正面図
【図２】色付きシート正面図
【図３】テンプル付き色付きシート
【図４】数字指標付きシートの断面図
【図５】本発明の説明図
【図６】本発明の説明図
【図７】本発明の説明図
【図８】本発明の説明図
【発明を実施するための最良の形態】
【０００９】不透明なシートで裏張りされた透明なシート上にランダムに配置された連続する一つ一つの数字の一方が赤色に少し離された他方が緑色の二つの同じ数字にされた数字指標付きシートと、眼前に配置される略眼鏡形状であって片方が赤色で他方が緑色の透明なレンズからなる色つきシートと、からなる事を特徴とする眼球運動トレーニングキット。
【実施例１】
【００１０】図を使用して本発明の実施例を具体的な使用法で説明すると、図１は、不透明なシート１１で裏張りされた透明なシート上にランダムに配置された連続する一つ一つの数字の一方が赤色に少し離された他方が緑色の二つの同じ数字１２ａ，１２ｂにされた数字指標付きシート１４であり、この場合１から１０までの数字をランダムに配置する（実際の場合は１から３０位までが妥当な数だと思われる）。そしてその数字は向かって右が赤色で、その少し左に緑色の同じ数字が設けられている。そして数字のこの色は左右逆で、右が緑色で、左が赤であっても構わない。そしてそのシートを３０〜５０センチ離して眼前に置く。勿論、ここで連続する数字は連続する文字・記号であっても構わない。又数字指標付きシート１４の大きさはＢ５以上でＡ３位までが好ましい大きさである。【００１１】図１の数字指標付きシート１４の中央の黒色の十字形１５はシートの位置を確かめる為と眼を休める為の基準点となる物で文字・記号・模様の内から選ばれた一つである。【００１２】そして図２はその数字指標付きシート１４を見る為の眼前に配置される略眼鏡形状であって右側片方が赤色で左側が緑色の透明なレンズからなる色つきシート２０であって、図３の様にテンプル３０を装着しても良い。これも上記と同様に、右側が緑色レンズで、左側が赤色レンズであっても良い。そして、数字指標付きシート１４を色付きシートで真ん中あたりを３０〜５０センチ離して見る。そして数字の１（１２ａ，１２ｂ）から２，３，４，５と順番に探してゆく訳である。【００１３】この場合、片目で見るのではなく両眼視する事により、二つの異なった色の数字は黒色の一つの数字となり浮きあがって３Ｄとして脳で融像され認識される事となる。【００１４】図４は数字指標付きシートの断面図であり、透明シート１４を不透明シート１１で裏張りをしなければはっきりとした数字が現れず見難くなってしまっていた。【００１５】図５、図６は説明用の図で有り、数字の赤色と緑色の間の間隔が広い場合と狭い場合の見え方の説明図で有り、図５の場合は、右眼には赤色の色付きシート２０左目には緑色の色付きシートが装着されており数字指標付きシート１４に設けられた数字（この場合は７）の右側が赤色で、左側が緑色で有りその間の間隔を少し広く取ってある。そうする事により、シート１４表面からｈだけ手前に７の黒色の像が見える事になる。【００１６】次に図６の場合は、図５の場合と右側の赤色の数字と左側の緑色の数字の間隔のみが短いだけであるが、７の黒色の融合された像はｈ２と図５の場合よりも遠くに結像する様に見える事となり、僅かな奥行きの距離も認識可能となる。【００１７】更に図７は数字指標付きシート１４上の７の数字の右側を緑色として、左側の数字を赤色にするか、或いは色付きシート２０の右側を緑色にするか、左側を赤色にした場合を表しており、数字指標付きシート１４よりも奥に７の数字が見える事になる。この場合図８との対比からも解かる様に赤色の７と緑色の７の数字の間隔が長いほど深い奥行きで結像する様に見え、間隔が短いほど結像は数字指標付きシート１４に近い処で見える事になる。【００１８】図５，６，７，８の様に赤色と緑色の数字の間隔を広げたり短くしたり、又は、赤色の数字と緑色の数字を入れ替えるか、或いは、色付きシート２０の左右の色を取りかえる事により、更に奥行きに幅を持たせて訓練する事が可能となる。ここで緑色を青色に交換しても同じような効果は得られる。【００１９】そして、奥行きの訓練以外の、眼球の左右、上下、斜め上方下方の運動訓練はどうするかというと、ランダムに配置された連続した数字を探す事により水平方向のみならず、垂直方向、斜め上方・下方と縦横無尽に眼球を動かし焦点を合わす事となりトレーニングが自然と出来る事となる。【００２０】そして数字指標付きシートの数字を見る場合なるべく頭や顔を動かさずに眼だけを動かす事により、眼球の筋肉の運動のトレーニングに効果があると思われる。【００２１】又脳における像の融像のトレーニングにもなり、ひいては動作のスピードも速くなる。
【産業上の利用可能性】
【００２２】手足の動作を眼の動作と組み合わせることにより良い眼と脳と動作の効果が得られる事となる。【００２３】
【符号の説明】
【００２４】１１      不透明シート
１４      数字指標付きシート
２０      色付きシート
３０      テンプル
【図１】
2016174882.tif 000003
【図２】
2016174882.tif 000004
【図３】
2016174882.tif 000005
【図４】
2016174882.tif 000006
【図５】
2016174882.tif 000007
【図６】
2016174882.tif 000008
【図７】
2016174882.tif 000009
【図８】
2016174882.tif 000010